(57)【要約】【課題】携帯無線端末装置において、簡単で安価な構成により、電源をオフにすることなく電波の送受信が行われないようにすることができるようにする。【解決手段】携帯無線端末装置１は、電波を送受信するためのアンテナ６と、アンテナ６により電波を送受信するための送受信回路２１と、アンテナ６と送受信回路２１との接続を切断する送受信禁止スイッチ２２と、使用者の操作によって動かされて、送受信禁止スイッチ２２を動作させる可動部材２３とを備える。送受信禁止スイッチ２２は、アンテナ側接点３１と、回路側接点３２と、アンテナ側接点３１と回路側接点３２とを開閉する接点開閉部材３３とを有する。送受信禁止スイッチ２２は、使用者の操作によって可動部材２３が動かされることにより、接点開閉部材３３が可動部材２３に押圧されてアンテナ側接点３１から離れ、アンテナ６と送受信回路２１との接続を切断する。【選択図】図３
2009118342.tif 000002
【特許請求の範囲】
【請求項１】
電波を送受信するためのアンテナと、前記アンテナにより電波を送受信するための送受信回路とを備え、前記アンテナにより電波を送受信することによって無線通信を行う、使用者に携帯されて使用される携帯無線端末装置において、
前記アンテナと前記送受信回路との間に設けられ、使用者の操作によって動作して、前記アンテナと前記送受信回路との接続を切断する送受信禁止スイッチを備え、
前記送受信禁止スイッチにより前記アンテナと前記送受信回路との接続が切断されることによって、前記アンテナにより電波が送受信されないようにしたことを特徴とする携帯無線端末装置。
【請求項２】
前記送受信回路は、前記送受信禁止スイッチが前記アンテナと前記送受信回路との接続を切断しているときに、グランドに接続される、
ことを特徴とする請求項１に記載の携帯無線端末装置。
【請求項３】
使用者の操作によって動かされる、前記送受信禁止スイッチを動作させるための可動部材をさらに備え、
前記送受信禁止スイッチは、前記アンテナに接続されているアンテナ側接点と、前記送受信回路に接続されている回路側接点と、前記可動部材が動くことにより動作して、前記アンテナ側接点と前記回路側接点とを開閉する接点開閉部材とを有し、前記接点開閉部材が前記アンテナ側接点と前記回路側接点とを開閉することにより前記アンテナと前記送受信回路とを接続／切断し、
前記接点開閉部材は、
前記可動部材に接触されずに、前記アンテナ側接点と前記回路側接点の両方に接触して、前記アンテナ側接点と前記回路側接点とを閉じた状態と、
前記可動部材に接触されて前記可動部材により押圧されることにより、前記回路側接点に接触しつつ前記アンテナ側接点から離れて、前記アンテナ側接点と前記回路側接点とを開いた状態と、に動作され、
前記可動部材は、導電体から成り、グランドに接続されており、
前記送受信回路は、前記接点開閉部材が前記可動部材により押圧されて前記アンテナ側接点と前記回路側接点とを開いて、前記送受信禁止スイッチが前記アンテナと前記送受信回路との接続を切断しているときに、前記接点開閉部材及び可動部材を介して、グランドに接続される、
ことを特徴とする請求項２に記載の携帯無線端末装置。
【請求項４】
前記送受信回路を検査するために用いられる検査用スイッチを備え、該検査用スイッチは、前記アンテナと前記送受信回路とを切断して、該検査用スイッチを介して前記送受信回路に検査用信号を入力するために用いられるものであり、
前記送受信禁止スイッチは前記検査用スイッチである、
ことを特徴とする請求項３に記載の携帯無線端末装置。
【発明の詳細な説明】
【技術分野】
【０００１】
本発明は、使用者に携帯されて使用され、電波を送受信することによって無線通信を行う携帯無線端末装置に関するものである。
【背景技術】
【０００２】
従来から、携帯無線端末装置は、電波の送受信による無線通信を利用して、通話や電子メールの送受信を行えるようになっている。ところで、例えば電車内や病院内など、携帯無線端末装置による電波の送受信が禁止されている場所がある。このような場所では、携帯無線端末装置を携帯する者（携帯無線端末装置の使用者）は、通常、携帯無線端末装置の電源をオフすることにより、携帯無線端末装置による電波の送受信が行われないようにしている。
【０００３】
一方、このような携帯無線端末装置は、通話や電子メールの送受信以外にも、電波の送受信を必要としない機能（例えば音楽の再生、文書の作成、画像の撮影等）を有しているものがあり、携帯無線端末装置の電源をオフにすると、電波の送受信を必要としない機能までも利用できなくなってしまう。
【０００４】
そこで、このような携帯無線端末装置において、携帯無線端末装置の電源をオフにすることなく、携帯無線端末装置の電源をオンにしたまま、電波の送受信が行われないようにすることができるようにしたものが知られている（例えば、特許文献１乃至特許文献４参照）。
【０００５】
特許文献１に記載の構成では、送信回路の搬送波発振部と変調部との間、及び送信回路の電力増幅部とアンテナとの間に切替スイッチを設け、操作ボタンから指示がなされると、制御部が切替スイッチを切替えて搬送波発振部と変調部との接続及び電力増幅部とアンテナとの接続を切断することにより、電源をオフにすることなく電波の送受信が行われないようにしている。また、特許文献２に記載の構成では、金属製のシールド管を設け、このシールド管にアンテナを収納することにより、アンテナの機能を無効にし、アンテナから放射される電波をシールド管により吸収して、電源をオフにすることなく電波の送受信が行われないようにしている。また、特許文献３に記載の構成では、アンテナを着脱可能にし、アンテナが取外されると、制御部が送受信回路を非活性化することにより、電源をオフにすることなく電波の送受信が行われないようにしている。また、特許文献４に記載の構成では、送信回路と制御回路との間にトランジスタスイッチを設け、操作部から指示がなされると、制御部がトランジスタスイッチをオフにして送信回路のみを動作停止させることにより、電源をオフにすることなく電波の送受信が行われないようにしている。
【０００６】
また、このような携帯無線端末装置において、電源をオン／オフするための電源キースイッチとは別に、電源を強制的にオフするための手動操作されるロックスイッチを設け、ロックスイッチが操作されて電源を強制的にオフしている状態では、電源キースイッチが操作されても電源をオンしないようにして、電波の送受信が行われないようにしたものが知られている（例えば、特許文献５参照）。
【特許文献１】特開２００３−１１０４３５号公報
【特許文献２】特許第３２７２５１０号公報
【特許文献３】特開２００２−２９０２６４号公報
【特許文献４】特開２００２−３０５５８３号公報
【特許文献５】特開平１０−２００４６９号公報
【発明の開示】
【発明が解決しようとする課題】
【０００７】
ところが、上述した特許文献１及び特許文献４に記載の構成においては、制御部がスイッチを制御して電波の送受信が行われないようにしているため、制御部のＩＣに、スイッチ制御用の信号を出力するためのポートが必要である。このため、ＩＣの部品コストが高くなると共にＩＣの設計コストも高くなる。また、上述した特許文献２に記載の構成においては、金属製のシールド管が必要であるため、高価になり、また、シールド管にアンテナを収納するようにしているため、構成が複雑になる。また、上述した特許文献３に記載の構成においては、アンテナを着脱可能にしているため、構成が複雑であり、また、アンテナの着脱を検出するセンサも必要であり、高価になる。なお、上述した特許文献５に記載の構成は、携帯無線端末装置の電源をオフにすることなく、携帯無線端末装置による電波の送受信が行われないようにしたものではない。従って、特許文献５に記載の構成を適用したとしても、上記の問題を解決することはできない。
【０００８】
本発明は、上記課題を解決するためになされたものであり、簡単で安価な構成により、電源をオフにすることなく電波の送受信が行われないようにすることができる携帯無線端末装置を提供することを目的とする。
【課題を解決するための手段】
【０００９】
上記目的を達成するために請求項１の発明は、電波を送受信するためのアンテナと、アンテナにより電波を送受信するための送受信回路とを備え、アンテナにより電波を送受信することによって無線通信を行う、使用者に携帯されて使用される携帯無線端末装置において、アンテナと送受信回路との間に設けられ、使用者の操作によって動作して、アンテナと送受信回路との接続を切断する送受信禁止スイッチを備え、送受信禁止スイッチによりアンテナと送受信回路との接続が切断されることによって、アンテナにより電波が送受信されないようにしたものである。
【００１０】
請求項２の発明は、請求項１に記載の画像印刷装置において、送受信回路は、送受信禁止スイッチがアンテナと送受信回路との接続を切断しているときに、グランドに接続されるものである。
【００１１】
請求項３の発明は、請求項２に記載の画像印刷装置において、使用者の操作によって動かされる、送受信禁止スイッチを動作させるための可動部材をさらに備え、送受信禁止スイッチは、アンテナに接続されているアンテナ側接点と、送受信回路に接続されている回路側接点と、可動部材が動くことにより動作して、アンテナ側接点と回路側接点とを開閉する接点開閉部材とを有し、接点開閉部材がアンテナ側接点と回路側接点とを開閉することによりアンテナと送受信回路とを接続／切断し、接点開閉部材は、可動部材に接触されずに、アンテナ側接点と回路側接点の両方に接触して、アンテナ側接点と回路側接点とを閉じた状態と、可動部材に接触されて可動部材により押圧されることにより、回路側接点に接触しつつアンテナ側接点から離れて、アンテナ側接点と回路側接点とを開いた状態と、に動作され、可動部材は、導電体から成り、グランドに接続されており、送受信回路は、接点開閉部材が可動部材により押圧されてアンテナ側接点と回路側接点とを開いて、送受信禁止スイッチがアンテナと送受信回路との接続を切断しているときに、接点開閉部材及び可動部材を介して、グランドに接続されるものである。
【００１２】
請求項４の発明は、請求項３に記載の画像印刷装置において、送受信回路を検査するために用いられる検査用スイッチを備え、該検査用スイッチは、アンテナと送受信回路とを切断して、該検査用スイッチを介して送受信回路に検査用信号を入力するために用いられるものであり、送受信禁止スイッチは検査用スイッチであるものである。
【発明の効果】
【００１３】
請求項１の発明によれば、使用者の操作により送受信禁止スイッチを動作させて、送受信禁止スイッチによりアンテナと送受信回路との接続を切断することにより、電源をオフすることなく電波の送受信が行われないようにすることができる。しかも、アンテナと送受信回路との接続の切断は、使用者の操作により送受信禁止スイッチを動作させて行うようになっているため、簡単で安価な構成により、電源をオフにすることなく電波の送受信が行われないようにすることができる。
【００１４】
請求項２の発明によれば、アンテナと送受信回路との接続が切断されているとき、送受信回路はグランドに接続されて機能しなくなるため、より確実に、電波の送受信が行われないようにすることができる。
【００１５】
請求項３の発明によれば、簡単な構成により、アンテナと送受信回路との接続が切断されているときに送受信回路をグランドに接続することができる。
【００１６】
請求項４の発明によれば、検査用スイッチを備える構成において、部品の追加を少なくしつつ、電源をオフにすることなく電波の送受信が行われないようにすることができる。
【発明を実施するための最良の形態】
【００１７】
以下、本発明を具体化した実施形態による携帯無線端末装置について図面を参照して説明する。図１（ａ）（ｂ）は、本実施形態による携帯無線端末装置の構成を示す。携帯無線端末装置１は、使用者に携帯されて使用され、電波を送受信することによって無線通信を行う装置である。
【００１８】
この携帯無線端末装置１は、電波の送受信による無線通信を利用して行う（すなわち電波の送受信を必要とする）通話や電子メールの送受信等の機能を有している。また、この携帯無線端末装置１は、無線通信を利用して行う通話や電子メールの送受信等の機能に加え、無線通信を利用せずに行う（すなわち電波の送受信を必要としない）音楽の再生、文書の作成、画像の撮影等の機能を有している。
【００１９】
また、この携帯無線端末装置１は、携帯無線端末装置１の電源をオフすることなく、携帯無線端末装置１の電源をオンにしたまま、電波の送受信が行われないようにすることができるようになっている。すなわち、この携帯無線端末装置１は、電波の送受信が行われないようにしつつ、電波の送受信を必要としない機能（無線通信を利用せずに行う機能）については、利用できるようになっている。
【００２０】
携帯無線端末装置１は、音声を入力するための音声入力部２と、音声を出力するための音声出力部３と、画像を撮像するための画像撮像部４と、画像を表示するための液晶パネル５と、電波を送受信するためのアンテナ６と、携帯無線端末装置１を使用するために使用者により操作される各種操作キーを有するキー操作部７と、電波の送受信が行われないようにするために使用者に操作される操作つまみ８等を備える。
【００２１】
音声入力部２、音声出力部３、液晶パネル５、キー操作部７、及び操作つまみ８は、筺体１０の正面側に設けられており、画像撮像部４は、筺体１０の背面側に設けられている。また、アンテナ６は、筺体１０の上部に設けられている。筺体１０は、背面側の背面ケース１０ａと、正面側の正面カバー１０ｂと、により構成されており、使用者の片方の手に所持され得る形状になっている。
【００２２】
キー操作部７は、各種操作キーとして、携帯無線端末装置１の電源をオン／オフする等のために操作される電源キーや、携帯無線端末装置１の各種機能を選択、実行する等のために操作される機能キー、文字、数字、記号を入力する等のために操作される入力キー等を有する。これらの各種操作キーは、押下操作されるようになっている。キー操作部７の各種操作キーを操作することにより、携帯無線端末装置１の電源オン／オフ、無線通信を利用した通話、電子メールの送受信、無線通信を利用しない音楽の再生、文書の作成、画像の撮影等を行えるようになっている。
【００２３】
操作つまみ８は、図示Ｐ方向、Ｑ方向にスライド操作されるようになっている。操作つまみ８がスライド操作されることにより、携帯無線端末装置１による電波の送受信が可能な状態と、携帯無線端末装置１による電波の送受信が行われない状態と、に選択的に切換えることができるようになっている。
【００２４】
図２（ａ）（ｂ）は、携帯無線端末装置１の筺体１０の内部の構成を示す。携帯無線端末装置１は、上述の構成に加え、筺体１０の内部に、アンテナ６により電波を送受信するための送受信回路２１と、アンテナ６と送受信回路２１との接続を切断する送受信禁止スイッチ２２と、操作つまみ８のスライド操作を受けて送受信禁止スイッチ２２を動作させるための可動部材２３等を備える。
【００２５】
アンテナ６、送受信回路２１、及び送受信禁止スイッチ２２は、筺体１０の背面ケース１０ａに固定された回路基板２４に実装されている。すなわち、アンテナ６、送受信回路２１、及び送受信禁止スイッチ２２は、回路基板２４を介して、筺体１０の背面ケース１０ａに固定的に支持されている。送受信禁止スイッチ２２は、アンテナ６と送受信回路２１との間に設けられており、アンテナ６と送受信禁止スイッチ２２、及び送受信禁止スイッチ２２と送受信回路２１は、不図示の回路配線により接続されている。
【００２６】
可動部材２３は、筺体１０の正面カバー１０ｂに固定されたグランドの役割を担う金属フレーム２５に支持されている。すなわち、可動部材２３は、金属フレーム２５を介して、筺体１０の正面カバー１０ｂに支持されている。可動部材２３は、操作つまみ８により動かされて送受信禁止スイッチ２２を動作させる動作部２３ａと、動作部２３ａを弾性的に支持する弾性支持部２３ｂとを有する。弾性支持部２３ｂの一端側は、金属フレーム２５に固定されて、固定端とされており、弾性支持部２３ｂの他端側は、開放端とされている。動作部２３ａは、弾性支持部２３ｂの他端側に設けられており、弾性支持部２３ｂにより弾性的に支持されている。可動部材２３は、導電体から成っている。
【００２７】
操作つまみ８は、筺体１０の正面カバー１０ｂにスライド自在に支持されている。操作つまみ８は、操作つまみ８をスライド操作するためのつまみ部８ａと、可動部材２３の動作部２３ａを動かすための駆動部８ｂとを有する。つまみ部８ａは、筺体１０の外部に露出されており、駆動部８ｂは、筺体１０の内部に配置されている。駆動部８ｂには、可動部材２３の動作部２３ａを押圧するための押圧傾斜面８ｃが形成されている。押圧傾斜面８ｃは、操作つまみ８のスライド方向に対して傾斜した面になっている。操作つまみ８は、絶縁体から成っている。
【００２８】
可動部材２３の動作部２３ａは、操作つまみ８のつまみ部８ａがＳ１の位置にある状態では、第１の位置に保持される（図２（ａ）参照）。そして、可動部材２３の動作部２３ａは、操作つまみ８がＱ方向にスライド操作されると、操作つまみ８の押圧傾斜面８ｃで押圧されることにより、第１の位置から弾性支持部２３ｂの弾性力に抗して送受信禁止スイッチ２２側に動かされ、操作つまみ８のつまみ部８ａがＳ２の位置に達した状態では、第２の位置に保持される（図２（ｂ）参照）。また、可動部材２３の動作部２３ａは、操作つまみ８がＰ方向にスライド操作されると、操作つまみ８ａの押圧傾斜面８ｃでの押圧が解除されることにより、第２の位置から押圧弾性支持部２３ｂの弾性力によって操作つまみ８側（第１の位置に戻る方向）に動き、操作つまみ８のつまみ部８ａがＳ１の位置に達した状態では、第１の位置に戻って保持される（図２（ａ）参照）。
【００２９】
このように、可動部材２３（動作部２３ａ）は、操作つまみ８のスライド操作によって（すなわち使用者の操作によって）動かされる。送受信禁止スイッチ２２は、可動部材２３の動きによって（すなわち使用者の操作によって）動作して、アンテナ６と送受信回路２１とを接続／切断する。
【００３０】
図３（ａ）（ｂ）は、送受信禁止スイッチ２２の構成を示す。送受信禁止スイッチ２２は、アンテナ６に接続されているアンテナ側接点３１と、送受信回路２１に接続されている回路側接点３２と、アンテナ側接点３１と回路側接点３２とを開閉する接点開閉部材３３とを有する。送受信禁止スイッチ２２は、接点開閉部材３３が動作して、接点開閉部材３３がアンテナ側接点３１と回路側接点３２とを開閉することにより、アンテナ６と送受信回路２１とを接続／切断する。接点開閉部材３３は、アンテナ側接点３１と回路側接点３２の両方に接触して、アンテナ側接点３１と回路側接点３２とを閉じた状態と、回路側接点３２に接触しつつアンテナ側接点３１から離れて、アンテナ側接点３１と回路側接点３２とを開いた状態と、に動作するようになっている。
【００３１】
送受信禁止スイッチ２２の接点開閉部材３３は、可動部材２３によって動作されるようになっている。すなわち、接点開閉部材３３は、可動部材２３の動作部２３ａが第１の位置にあって、可動部材２３の動作部２３ａに接触されずに、アンテナ側接点３１と回路側接点３２の両方に接触して、アンテナ側接点３１と回路側接点３２とを閉じた状態（図３（ａ）参照）と、可動部材２３の動作部２３ａが第２の位置にあって、可動部材２３の動作部２３ａに接触されて可動部材２３により押圧されることにより、回路側接点３２に接触しつつアンテナ側接点３１から離れて、アンテナ側接点３１と回路側接点３２とを開いた状態（図３（ｂ）参照）と、に動作されるようになっている。
【００３２】
従って、送受信禁止スイッチ２２は、操作つまみ８のスライド操作により可動部材２３の動作部２３ａが第１の位置に動かされた状態にあるとき、接点開閉部材３３が可動部材２３の動作部２３ａに接触されずに、接点開閉部材３３がアンテナ側接点３１と回路側接点３２とを閉じて、アンテナ６と送受信回路２１とを接続した状態になる。一方、送受信禁止スイッチ２２は、操作つまみ８のスライド操作により可動部材２３の動作部２３ａが第２の位置に動かされた状態にあるとき、接点開閉部材３３が可動部材２３の動作部２３ａにより押圧されて、接点開閉部材３３がアンテナ側接点３１と回路側接点３２とを開いて、アンテナ６と送受信回路２１とを切断した状態になる。また、このとき（接点開閉部材３３が可動部材２３の動作部２３ａにより押圧されて、アンテナ６と送受信回路２１とを切断した状態にあるとき）、送受信回路２１は、回路側接点３２、接点開閉部材３３、及び可動部材２３を介して、金属フレーム（グランド）２５に接続される。
【００３３】
このように、送受信禁止スイッチ２２は、操作つまみ８のスライド操作により可動部材２３が動かされることによって（すなわち使用者の操作によって）動作して、アンテナ６と送受信回路２１とを接続／切断する。アンテナ６と送受信回路２１とが接続されることにより、電波の送受信が可能となり、アンテナ６と送受信回路２１とが切断されることにより、電波の送受信が不可能となる。
【００３４】
ところで、送受信禁止スイッチ２２は、送受信回路２１を検査するために用いられる検査用スイッチでもある。すなわち、送受信禁止スイッチ（検査用スイッチ）２２は、送受信回路２１の検査において、アンテナ６と送受信回路２１とを切断して、送受信禁止スイッチ２２を介して送受信回路２１に検査用信号を入力するために用いられる。
【００３５】
送受信回路２１の検査は、検査機の端子を送受信禁止スイッチ２２の接点開閉部材３３に接触させ、検査機の端子により接点開閉部材３３を押圧して、アンテナ６と送受信回路２１とを切断し、そして、その状態で、検査機の端子から接点開閉部材３３及び回路側接点３２を介して送受信回路２１に検査用信号を入力することにより行われる。この送受信回路２１の検査は、携帯無線端末装置１の組立て過程において行われ、筺体１０の正面カバー１０ｂを装着する前の過程（従って、この過程では、送受信禁止スイッチ２２の前方（図２（ａ）（ｂ）では上方）には、可動部材２３、操作つまみ８、及び正面カバー１０ｂ等が配置されていない）において行われる。送受信回路２１の検査の後、正面カバー１０ｂが装着されて、携帯無線端末装置１が組立てられる。
【００３６】
図４は、携帯無線端末装置１の電気的ブロック構成を示す。携帯無線端末装置１は、上述の構成に加え、電源回路４１と、情報メモリ４２と、プログラムメモリ４３と、携帯無線端末装置１を制御するためのＣＰＵ等からなる制御部４４等を備える。
【００３７】
音声入力部２は、制御部４４による制御のもと、音声を受音し、音声出力部３は、制御部４４による制御のもと、音声を出力する。画像撮像部４は、制御部４４による制御のもと、画像を撮影し、液晶パネル５は、制御部４４による制御のもと、画像を表示する。キー操作部７は、上述のように電源キー、機能キー、入力キー等の各種操作キーを有しており、各種操作キーが押下操作されることにより、その押下操作に対応した操作信号を制御部４４に出力する。
【００３８】
送受信回路２１は、発振回路や変調回路、復調回路等を含んでおり、制御部４４による制御のもと、アンテナ６により電波を送受信するために各種信号を処理する。送受信禁止スイッチ２２は、上述のように、操作つまみ８の操作によって（すなわち使用者の操作によって）動作して、アンテナ６と送受信回路２１とを接続／切断する。アンテナ６と送受信回路２１とが接続されることにより、電波の送受信が可能となり、アンテナ６と送受信回路２１とが切断されることにより、電波の送受信が不可能となる。
【００３９】
電源回路４１は、携帯無線端末装置１に装着された電池から供給される電力を基に、携帯無線端末装置１を動作させるための電力を生成する。情報メモリ４２は、制御部４４による制御のもと、音楽、文書、画像などの情報を記憶する。プログラムメモリ４３は、携帯無線端末装置１を動作させるためのプログラムを格納している。
【００４０】
制御部４４は、プログラムメモリ４３に格納されているプログラムに基いて、キー操作部７の各種操作キーの押下操作を受けて、携帯無線端末装置１の電源のオン／オフ（電源回路４１による携帯無線端末装置１各部への電力の供給／遮断）、無線通信を利用して行う通話、電子メールの送受信、無線通信を利用せずに行う音楽の再生、文書の作成、画像の撮影等、携帯無線端末装置１の各種動作を制御する。
【００４１】
このような構成の携帯無線端末装置１によれば、操作つまみ８を操作して（すなわち使用者の操作により）送受信禁止スイッチ２２を動作させて、送受信禁止スイッチ２２によりアンテナ６と送受信回路２１との接続を切断することにより、電源をオフすることなく電波の送受信が行われないようにすることができる。しかも、アンテナ６と送受信回路２１との接続の切断は、操作つまみ８の操作により（すなわち使用者の操作により）送受信禁止スイッチ２２を動作させて行うようになっているため、簡単で安価な構成により、電源をオフにすることなく電波の送受信が行われないようにすることができる。
【００４２】
また、アンテナ６と送受信回路２１との接続が切断されているとき、送受信回路２１は金属フレーム（グランド）２５に接続されて機能しなくなるため、より確実に、電波の送受信が行われないようにすることができる。しかも、送受信回路２１は接点開閉部材３３及び可動部材２３を介してグランドに接続されるため、簡単な構成により、送受信回路２１をグランドに接続することができる。
【００４３】
また、送受信禁止スイッチ２２は、送受信回路２１を検査するために用いられる検査用スイッチでもあるため、検査用スイッチを備える構成において、部品の追加を少なくしつつ、電源をオフにすることなく電波の送受信が行われないようにすることができる。
【００４４】
なお、本発明は、上記実施形態の構成に限られず、種々の変形が可能である。例えば、スライド操作される操作つまみに代えて、押下操作、回転操作される操作部材によって可動部材を動かすようにしてもよい。また、可動部材を設けることなく、スライド操作される操作つまみ、又は、押下操作、回転操作される操作部材によって直接に送受信禁止スイッチを動作させるようにしてもよい。
【図面の簡単な説明】
【００４５】
【図１】（ａ）は本発明の一実施形態に係る携帯無線端末装置の概略構成を示す正面側から見た平面図、（ｂ）は同携帯無線端末装置の側面図。
【図２】同携帯無線端末装置の内部構成を示す図１（ｂ）を拡大した一部破断した側面図であり、（ａ）は電波が送受信される状態に操作つまみが操作されたときの図、（ｂ）は電波が送受信されない状態に操作つまみが操作されたときの図。
【図３】同携帯無線端末装置の送受信禁止スイッチの構成を示す図であり、（ａ）は電波が送受信される状態に送受信禁止スイッチが動作されたときの図、（ｂ）は電波が送受信されない状態に送受信禁止スイッチが動作されたときの図。
【図４】同携帯無線端末装置の電気的ブロック構成図。
【符号の説明】
【００４６】
１    携帯無線端末装置
２    音声入力部
３    音声出力部
４    画像撮像部
５    液晶パネル
６    アンテナ
７    キー操作部
８    操作つまみ
８ａ    つまみ部
８ｂ    駆動部
８ｃ    押圧傾斜面
１０    筺体
１０ａ    背面ケース
１０ｂ    正面カバー
２１    送受信回路
２２    送受信禁止スイッチ
２３    可動部材
２３ａ    動作部
２３ｂ    弾性支持部
２４    回路基板
２５    金属フレーム（グランド）
３１    アンテナ側接点
３２    回路側接点
３３    接点開閉部材
４１    電源回路
４２    情報メモリ
４３    プログラムメモリ
４４    制御部
【図１】
2009118342.tif 000003
【図２】
2009118342.tif 000004
【図３】
2009118342.tif 000005
【図４】
2009118342.tif 000006